(57)【要約】【課題】電線の長さや直径にかかわらず、効率的にアース用電線の止水処理を行うことができるアース用電線の止水処理装置、および、これを用いたアース用電線の止水処理方法を提供する。【解決手段】本発明の止水処理装置は、導体、この導体の周囲に設けられた被覆材、および、導体の一方の端末に圧着固定された端子を有するアース用電線を止水処理する装置であって、端子の導体を圧着固定している圧着部において導体と被覆材の境界近傍に止水剤を供給する止水剤供給手段と、端子、圧着部およびその近傍を収容する第一収容部３９が設けられた金型３０と、一方の端末側から被覆材の内側に空気を送り込んで加圧することにより、止水剤を被覆材の内側に浸透させる加圧手段と、を備えたことを特徴とする。【選択図】図３
2008251345.tif 000002
【特許請求の範囲】
【請求項１】
導体、該導体の周囲に設けられた被覆材、および、前記導体の一方の端末に圧着固定された端子を有するアース用電線を止水処理する止水処理装置であって、
前記端子の前記導体を圧着固定している圧着部において前記導体と前記被覆材の境界近傍に止水剤を供給する止水剤供給手段と、前記端子、前記圧着部およびその近傍を収容する収容部が設けられた金型と、前記一方の端末側から前記被覆材の内側に空気を送り込んで加圧することにより、前記止水剤を前記被覆材の内側に浸透させる加圧手段とを備えたことを特徴とするアース用電線の止水処理装置。
【請求項２】
前記金型は前記収容部を密閉する密閉手段を備えたことを特徴とする請求項１に記載のアース用電線の止水処理装置。
【請求項３】
前記アース用電線の他方の端末において空気の流量を検出する流量検出手段を備え、前記金型は前記アース用電線の他方の端末およびその近傍を収容する収容部を備えたことを特徴とする請求項１または２に記載のアース用電線の止水処理装置。
【請求項４】
導体、該導体の周囲に設けられた被覆材、および、前記導体の一方の端末に圧着固定された端子を有するアース用電線を止水処理する止水処理方法であって、
前記端子において電線に圧着固定された圧着部に止水剤を供給する止水剤供給工程と、前記一方の端末側から前記被覆材の内側に空気を送り込んで加圧することにより、前記止水剤を前記被覆材の内側に浸透させる加圧工程とを備えたことを特徴とするアース用電線の止水処理方法。
【請求項５】
前記端子、前記圧着部およびその近傍を密閉空間内に配して、前記加圧工程を行うことを特徴とする請求項４に記載のアース用電線の止水処理方法。
【請求項６】
前記アース用電線の他方の端末において空気の流量を検出する流量検出工程を備えたことを特徴とする請求項４または５に記載のアース用電線の止水処理方法。
【発明の詳細な説明】
【技術分野】
【０００１】
本発明は、自動車のエンジンルームなどに設けられるアース用電線の端末を止水処理するための止水処理装置、および、これを用いたアース用電線の止水処理方法に関し、特に、例えば、リング状の接触子を有する端子が端末に取り付けられた電線において、その端末からの浸水を確実に防止するアース用電線の止水処理装置、および、これを用いたアース用電線の止水処理方法に関するものである。
【背景技術】
【０００２】
一般に、アース用電線は、その端末に圧着固定された接続用の端子が露出した状態でアース部位（自動車のボディなど）に接続される。そのため、アース用電線に水がかかると、端子の電線に圧着固定された部分（圧着部）から電線内部に水が浸入し、この水が被覆材の内側を伝って、このアース用電線が接続されている内部機器に浸入すると、その内部機器の正常な動作を妨げるなどの悪影響を及ぼすおそれがある。そのため、アース用電線の圧着部には、電線内部に水が浸入するのを防止する処理（止水処理）を施す必要がある。
【０００３】
従来、アース用電線に止水処理を施す方法としては、アース用電線の圧着部を覆うように樹脂をモールドする方法が開示されている。この方法では、その成形に手間と大掛かりな設備が必要となるばかりではなく、樹脂モールド部の形状が大きくなるため、配策作業を行い難いという問題があった。
【０００４】
そこで、アース用電線の一方の端末に止水剤を供給し、他方の端末からアース用電線の被覆材の内側の空気を吸引して減圧することにより、止水剤を被覆材の内側に浸透させる止水処理方法（例えば、特許文献１参照）や、この止水処理方法に用いられる止水処理装置（例えば、特許文献２参照）が提案されている。
【特許文献１】特開２００４−３５５８５１号公報
【特許文献２】特開２００６−２０２６７６号公報
【発明の開示】
【発明が解決しようとする課題】
【０００５】
しかしながら、特許文献１や特許文献２に開示されている方法では、アース用電線の一方の端末に止水剤を供給し、他方の端末からアース用電線の被覆材の内側の空気を吸引して減圧することにより、止水剤を被覆材の内側に浸透させるため、長尺の電線や大径の電線に止水処理を施す場合、被覆材の内側の空気を吸引するための装置が大掛かりになる上に、止水剤を被覆材の内側に十分に浸透させるためには時間が掛かるため、その結果として、処理コストが高くつくという問題があった。
【０００６】
本発明は、上記事情に鑑みてなされたものであって、電線の長さや直径（線径）にかかわらず、効率的にアース用電線の止水処理を行うことができるアース用電線の止水処理装置、および、これを用いたアース用電線の止水処理方法を提供することを目的とする。
【課題を解決するための手段】
【０００７】
本発明の止水処理装置は、導体、該導体の周囲に設けられた被覆材、および、前記導体の一方の端末に圧着固定された端子を有するアース用電線を止水処理する止水処理装置であって、前記端子の前記導体を圧着固定している圧着部において前記導体と前記被覆材の境界近傍に止水剤を供給する止水剤供給手段と、前記端子、前記圧着部およびその近傍を収容する収容部が設けられた金型と、前記一方の端末側から前記被覆材の内側に空気を送り込んで加圧することにより、前記止水剤を前記被覆材の内側に浸透させる加圧手段と、を備えたことを特徴とする。
【０００８】
前記金型は前記収容部を密閉する密閉手段を備えたことが好ましい。
前記アース用電線の他方の端末において空気の流量を検出する流量検出手段を備え、前記金型は前記アース用電線の他方の端末およびその近傍を収容する収容部を備えたことが好ましい。
【０００９】
本発明の止水処理方法は、導体、該導体の周囲に設けられた被覆材、および、前記導体の一方の端末に圧着固定された端子を有するアース用電線を止水処理する止水処理方法であって、前記端子において電線に圧着固定された圧着部に止水剤を供給する止水剤供給工程と、前記一方の端末側から前記被覆材の内側に空気を送り込んで加圧することにより、前記止水剤を前記被覆材の内側に浸透させる加圧工程とを備えたことを特徴とする。
【００１０】
前記端子、前記圧着部およびその近傍を密閉空間内に配して、前記加圧工程を行うことが好ましい。
前記アース用電線の他方の端末において空気の流量を検出する流量検出工程を備えたことが好ましい。
【発明の効果】
【００１１】
本発明のアース用電線の止水処理装置によれば、導体、該導体の周囲に設けられた被覆材、および、前記導体の一方の端末に圧着固定された端子を有するアース用電線を止水処理する止水処理装置であって、前記端子の前記導体を圧着固定している圧着部において前記導体と前記被覆材の境界近傍に止水剤を供給する止水剤供給手段と、前記端子、前記圧着部およびその近傍を収容する収容部が設けられた金型と、前記一方の端末側から前記被覆材の内側に空気を送り込んで加圧することにより、前記止水剤を前記被覆材の内側に浸透させる加圧手段と、を備えたので、電線の長さや直径（線径）にかかわらず、大掛かりな装置を用いることなく効率的にアース用電線の止水処理を行うことができる。
【００１２】
本発明のアース用電線の止水処理方法によれば、導体、該導体の周囲に設けられた被覆材、および、前記導体の一方の端末に圧着固定された端子を有するアース用電線を止水処理する止水処理方法であって、前記端子において電線に圧着固定された圧着部に止水剤を供給する止水剤供給工程と、前記一方の端末側から前記被覆材の内側に空気を送り込んで加圧することにより、前記止水剤を前記被覆材の内側に浸透させる加圧工程とを備えたので、電線の長さや直径（線径）にかかわらず、大掛かりな装置を用いることなく効率的にアース用電線の止水処理を行うことができる。
【発明を実施するための最良の形態】
【００１３】
本発明のアース用電線の止水処理装置、アース用電線の止水処理方法の最良の形態について説明する。
なお、この形態は、発明の趣旨をより良く理解させるために具体的に説明するものであり、特に指定のない限り、本発明を限定するものではない。
【００１４】
図１は、本発明のアース用電線の止水処理装置およびアース用電線の止水処理方法によって止水処理が施されるアース用電線の一例を示す概略図であり、（ａ）は平面図、（ｂ）は正面図である。図２は、本発明のアース用電線の止水処理装置を構成する止水剤供給装置の一実施形態を示す概略図であり、（ａ）は正面図、（ｂ）は平面図である。図３は、本発明のアース用電線の止水処理装置を構成する金型の一実施形態を示す概略斜視図である。図４は、本発明のアース用電線の止水処理装置を構成する金型の一実施形態を示す概略斜視図である。
図１に示すアース用電線１０は、導体１１と、この導体１１の周囲に設けられた被覆材１２と、導体１１の一方の端に圧着固定された端子１３とから概略構成される絶縁電線である。導体１１は、複数本の導線が撚り合わされてなるものであり、導線同士は密接しているものの、導線同士の間には僅かながらに隙間があるため、アース用電線１０に水がかかると、その隙間を伝って、水が電線内部に浸入するおそれがある。このアース用電線１０では、一方の端末の被覆材１３が除去されて、導体１１の一方の端末が露出され、その導体１１の露出部分に端子１３が圧着固定されている。ここでは、端子１３の導体１１を圧着固定している部分を圧着部１４という。
【００１５】
（アース用電線の止水処理装置）
この実施形態のアース用電線の止水処理装置は、アース用電線１０の端子１３の圧着部１４において導体１１と被覆材１２の境界近傍（図１の破線部）に止水剤を供給する止水剤供給手段２０と、端子１３、圧着部１４およびその近傍を収容する収容部を有する金型３０と、アース用電線１０の一方の端末側から被覆材１２の内側に空気を送り込んで加圧することにより、止水剤を被覆材１２の内側に浸透させる加圧手段（図示略）とから概略構成されている。
【００１６】
止水剤供給手段２０は、ベース２１と、ベース２１の一面２１ａに設けられ、その一面２１ａにアース用電線１０の端子１３が圧着固定された側の端末を固定するための固定手段２２，２３と、止水剤を定量注入（滴下）するための注入手段２４とから概略構成されている。
固定手段２２としては、アース用電線１０の端子１３の圧着部１４を固定するクランプなどが用いられる。また、固定手段２３としては、アース用電線１０の被覆材１２を固定するクランプなどが用いられる。
注入手段２４としては、その先端に上記の圧着部１４において導体１１と被覆材１２の境界近傍に流動性を有する止水剤を定量注入（滴下）するためのノズル２５を有するガンタイプの注入器が用いられる。
【００１７】
金型３０は、蝶番などの開閉機構により開閉可能に接続された上型３１と下型３２からなる。
上型３１には、アース用電線１０の端子１３、圧着部１４およびその近傍を収容するための第一凹部３３と、アース用電線１０の端子１３が圧着固定されていない側の端末を収容するための第二凹部３４とが設けられている。
下型３２には、アース用電線１０の端子１３、圧着部１４およびその近傍を収容するための第三凹部３５と、アース用電線１０の端子１３が圧着固定されていない側の端末を収容するための第四凹部３６とが設けられている。
さらに、第三凹部３５内には、特殊な材料のパッキンなどの封止部材３７で囲まれ、アース用電線１０の端子１３、圧着部１４およびその近傍を着脱可能に収容するための第一収容部３９が設けられている。また、第四凹部３６内には、特殊な材料のパッキンなどの封止部材３８で囲まれ、アース用電線１０の端子１３が圧着固定されていない側の端末を着脱可能に収容するための第二収容部４０が設けられている。
【００１８】
この金型３０では、上型３１と下型３２を合わせることにより、上記の第一凹部３３と第三凹部３５が合わせられて、第一凹部３３と第一収容部３９により１つの空間をなし、第二凹部３４と第四凹部３６が合わせられて、第二凹部３４と第二収容部４０により１つの空間をなすようになっている。
【００１９】
上型３１の第一凹部３３には、アース用電線１０の被覆部（被覆材１２が設けられている部分）を隙間無く嵌め込み、アース用電線１０の端子１３、圧着部１４およびその近傍を除く部分を第一凹部３３外に真っ直ぐに誘導するためのガイド溝４１が設けられている。同様に、上型３１の第二凹部３４には、アース用電線１０の被覆部を隙間無く嵌め込み、アース用電線１０の他方の端末を除く部分を第二凹部３４外に真っ直ぐに誘導するためのガイド溝４２が設けられている。
これらのガイド溝４１，４２の大きさは、アース用電線１０の被覆部を隙間無く係止するために、その被覆部の外径に応じて適宜調整される。
【００２０】
同様に、下型３２の第三凹部３５には、アース用電線１０の被覆部を隙間無く嵌め込み、アース用電線１０の端子１３、圧着部１４およびその近傍を除く部分を第三凹部３５外に真っ直ぐに誘導するためのガイド溝４３が設けられている。同様に、下型３２の第四凹部３６には、アース用電線１０の被覆部を隙間無く嵌め込み、アース用電線１０の他方の端末を除く部分を第四凹部３６外に真っ直ぐに誘導するためのガイド溝４４が設けられている。
これらのガイド溝４３，４４の大きさは、アース用電線１０の被覆部を隙間無く係止するために、その被覆部の外径に応じて適宜調整される。
【００２１】
また、下型３２の側面３２ａには、下型３２の内部に設けられ第一収容部３９内に通じる通路（図示略）に接続された空気導入管４５が設けられている。
そして、この空気導入管４５の下型３２と連設している側とは反対側の端末には、第一収容部３９内に空気を送り込み、第一収容部３９内を加圧することにより、第一収容部３９内に収容したアース用電線１０の端子１３が圧着固定されている端末側から、被覆材１２の内側に空気を送り込んで加圧するための加圧手段（図示略）が接続されている。この加圧手段としては、例えば、エアコンプレッサーなどの圧縮空気発生装置などが用いられる。
【００２２】
また、空気導入管４５の中途には、加圧手段側から順に、第一収容部３９内へ送り込む空気の圧力を制御する圧力制御手段４６、第一収容部３９内へ送り込む空気の流量および第一収容部３９から漏れ出した空気の流量を検出する流量検出手段４７が設けられている。
圧力制御手段４６としては、例えば、０ＭＰａ〜０．５ＭＰａの範囲で空気の圧力を、時間とともに任意に調整可能な電空レギュレータなどの電磁弁が用いられる。
流量検出手段４７としては、一般的な空気の流量計が用いられる。
【００２３】
また、下型３２の側面３２ｂには、下型３２の内部に設けられ第二収容部４０内に通じる通路（図示略）に接続された空気排出管４８が設けられている。
そして、この空気排出管４８の中途には、アース用電線１０の端子１３が圧着固定されている側とは反対側の端末から漏れ出した空気の流量を検出する流量検出手段４９が設けられている。
流量検出手段４９としては、一般的な空気の流量計が用いられる。
【００２４】
さらに、上型３１の上面３１ｃには、上型３１の内部に設けられ第一収容部３９内に通じる孔（図示略）の中に挿入された検出部を有し、第一収容部３９内の圧力を検出する圧力検出手段５０が設けられている。
圧力検出手段５０としては、一般的な、検出部としての圧力センサを有する圧力計が用いられる。
【００２５】
上型３１の側面３１ａ，３１ｂにはそれぞれ、この側面３１ａ，３１ｂと垂直な方向に突出した突部５１，５１が設けられている。
一方、下型３２の側面３２ａ，３２ｂには、上型３１と下型３２を合わせ状態で、上記の上型３１の突部５１，５１方向に回転可能に軸止された係止部５２，５２が設けられている。
すなわち、上型３１と下型３２を合わせて、上記の突部５１，５１に、係止部５２，５２を係止することにより、下型３２に対して上型３１を固定することができる。
【００２６】
また、上型３１の正面３１ｄには、この正面３１ｄと垂直な方向に突出した突部５３が設けられている。
一方、下型３２の正面３２ｃには、この正面３２ｃｄと垂直な方向に突出した突部５４が設けられている。さらに、この突部５４には、回転軸５６により軸止され、上型３１と下型３２を合わせ状態で、上記の上型３１の突部５３の上面５３ａと平行な方向に回転可能な係止部材５５が設けられている。この係止部材５５は、回転軸５６を境にして短い部分が突部５３に係止される係止部５５ａ、長い部分がこの部材を回転させる際に握るための把持部５５ｂである。
なお、この実施形態では、第一収容部３９および第二収容部４０を密閉するための密閉手段は、上記の突部５３、突部５４、係止部５５および回転軸５６から構成されている。
すなわち、上型３１と下型３２を合わせ、係止部材５５を回転させて、上記の突部５３に、係止部５５ａを係止することにより、下型３２と上型３１の密着度が増し、第一収容部３９および第二収容部４０を密閉することができる。
【００２７】
（アース用電線の止水処理方法）
次に、図２、図５および図６を用いて、上述のアース用電線の止水処理装置を用いたアース用電線の止水処理方法を説明する。
まず、止水剤供給手段２０のベース２１に、固定手段２２，２３により、アース用電線１０の端子１３が圧着固定された側の端末を固定する。
次いで、ベース２１に固定されたアース用電線１０の端子１３の圧着部１４において、導体１１と被覆材１２の境界近傍に、注入手段２４により所定量の止水剤を注入（滴下）する（止水剤供給工程）。
止水剤の注入（滴下）量は、アース用電線１０の導体１１の長さや直径（線径）に応じて、適宜調整される。
【００２８】
止水剤としては、一般にアース用電線の止水処理に用いられる硬化性の樹脂が用いられるが、これらの樹脂の中でも、耐水性、耐油性、耐熱性、耐寒性などの点からシリコーン樹脂が好ましい。また、このシリコーン樹脂の中でも、常温（２３℃）にてアース用電線１０の被覆材１２の内側、すなわち、導体１１の間に浸透しやすくするために、その常温（２３℃）における粘度が６００Ｐａ・ｍｓ〜１０００Ｐａ・ｍｓの範囲にあるものが好ましい。また、加温する場合、常温における粘度が１００Ｐａ・ｍｓ〜５０００Ｐａ・ｍｓの範囲にある材料を用いてもよい。
【００２９】
次いで、金型３０の下型３２の第一収容部３９に止水剤が注入されたアース用電線１０の端子１３、圧着部１４およびその近傍を収容、固定するとともに、ガイド溝４３にアース用電線１０の被覆部を嵌め込む。
また、金型３０の下型３２の第二収容部４０にアース用電線１０の端子１３が圧着固定されていない側の端末を収容するとともに、ガイド溝４４にアース用電線１０の被覆部を嵌め込む。
【００３０】
次いで、上型３１のガイド溝４１，４２のそれぞれに、アース用電線１０の被覆部が嵌め込まれるように、上型３１と下型３２を合わせる。
次いで、上型３１の突部５１，５１に、係止部５２，５２を係止することにより、下型３２に対して上型３１を固定する。
【００３１】
次いで、係止部材５５を回転させて、上記の突部５３に、係止部５５ａを係止することにより、上型３１と下型３２を密着させて、アース用電線１０の端子１３、圧着部１４およびその近傍を収容した状態で第一収容部３９、および、アース用電線１０の端子１３が圧着固定されていない側の端末を収容した状態で第二収容部４０を密閉する。
【００３２】
次いで、加圧手段から空気導入管４５を介して、第一収容部３９内に空気を送り込み（図６の矢印方向）、第一収容部３９内を加圧し、アース用電線１０の端子１３が圧着固定されている端末側から、被覆材１２の内側に空気を送り込んで加圧することにより、導体１１と被覆材１２の境界近傍に注入した止水剤を、被覆材１２の内側、すなわち、導体１１の間に浸透させる（加圧工程）。
【００３３】
この加圧工程において、圧力制御手段４６により、加圧手段から第一収容部３９内に送り込まれる空気の圧力を、０ＭＰａ〜０．５ＭＰａの範囲で制御するとともに、流量検出手段４７により、第一収容部３９内へ送り込む空気の流量および第一収容部３９から漏れ出した空気の流量を検出する。
これにより、第一収容部３９内に送り込まれる空気の圧力を、アース用電線１０の導体１１の長さや直径（線径）に応じて、適宜調整する。
【００３４】
また、加圧工程において、圧力検出手段５０により、第一収容部３９内の圧力を検出する。
これにより、上型３１と下型３２を合わせた状態で、すなわち、第一収容部３９内の様子を目視観察することなく、第一収容部３９内にて止水剤がアース用電線１０の被覆材１２の内側に浸透しているか否かを確認することができる。
【００３５】
さらに、加圧工程において、流量検出手段４９により、アース用電線１０の端子１３が圧着固定されている側とは反対側の端末から漏れ出した空気がないか検出する（流量検出工程）。
この流量検出工程において、アース用電線１０の端子１３が圧着固定されている側とは反対側の端末からの空気の漏れ出しが検出された場合、止水剤がアース用電線１０の被覆材１２の内側、すなわち、導体１１の間に正常に浸透していないと判断でき、一方、空気の漏れ出しが検出されなかった場合、止水剤がアース用電線１０の被覆材１２の内側、すなわち、導体１１の間に正常に浸透していると判断できる。
【００３６】
この実施形態のアース用電線の止水処理装置を用いたアース用電線の止水処理方法によれば、アース用電線１０の端子１３が圧着固定されている端末側から、被覆材１２の内側に空気を送り込んで加圧することにより、止水剤を被覆材１２の内側、すなわち、導体１１の間に浸透させることができるので、電線の長さや直径（線径）にかかわらず、大掛かりな装置を用いることなく効率的かつ確実にアース用電線１０の止水処理を行うことができる。
【産業上の利用可能性】
【００３７】
本発明のアース用電線の止水処理装置、および、これを用いたアース用電線の止水処理方法は、導体の周囲に被覆材が設けられた構成の電線やケーブルなどを、止水剤を用いて止水処理や防水処理する場合にも適用できる。
【図面の簡単な説明】
【００３８】
【図１】本発明のアース用電線の止水処理装置およびアース用電線の止水処理方法によって止水処理が施されるアース用電線の一例を示す概略図であり、（ａ）は平面図、（ｂ）は正面図である。
【図２】本発明のアース用電線の止水処理装置を構成する止水剤供給装置の一実施形態を示す概略図であり、（ａ）は正面図、（ｂ）は平面図である。
【図３】本発明のアース用電線の止水処理装置の主要部の一実施形態を示す概略斜視図である。
【図４】本発明のアース用電線の止水処理装置の主要部の一実施形態を示す概略斜視図である。
【図５】本発明のアース用電線の止水処理方法の一実施形態を示す概略斜視図である。
【図６】本発明のアース用電線の止水処理方法の一実施形態を示す概略斜視図である。
【符号の説明】
【００３９】
１０・・・アース用電線、１１・・・導体、１２・・・被覆材、１３・・・端子、１４・・・圧着部、２０・・・止水剤供給手段、２１・・・ベース、２２，２３・・・固定手段、２４・・・注入手段、２５・・・ノズル、３０・・・金型、３１・・・上型、３２・・・下型、３３・・・第一凹部、３４・・・第二凹部、３５・・・第三凹部、３６・・・第四凹部、３７，３８・・・封止部材、３９・・・第一収容部、４０・・・第二収容部、４１，４２，４３，４４・・・ガイド溝、４５・・・空気導入管、４６・・・圧力制御手段、４７，４９・・・流量検出手段、４８・・・空気排出管、５０・・・圧力検出手段、５１・・・突部、５２・・・係止部、５３・・・突部、５４・・・突部、５５・・・係止部材、５６・・・回転軸。
【図１】
2008251345.tif 000003
【図２】
2008251345.tif 000004
【図３】
2008251345.tif 000005
【図４】
2008251345.tif 000006
【図５】
2008251345.tif 000007
【図６】
2008251345.tif 000008